(57)【要約】【課題】  建枠の周辺に他の部材が配置されていてもこれらの部材と干渉することなく簡単に建枠に取付けでき、構造も簡単で汎用性を有する手摺の取付装置を提供すること。【解決手段】  縦方向に起立すると共に一つ又は複数の取付孔３ｂを備えた板状ブラケット３と、ブラケット３に一体結合し支持片４と、支持片４の端部に起立する少なくとも一つのソケット５と、支持片４に上記ブラケット３と反対側に設けた締付け部材Ｐとからなる。【選択図】        図１
2007100495.tif 000002
【特許請求の範囲】
【請求項１】
縦方向に起立すると共に一つ又は複数の取付孔３ｂを備えた板状ブラケット３と、ブラケット３に一体結合し支持片４と、支持片４の端部に起立する少なくとも一つのソケット５と、支持片４に上記ブラケット３と反対側に設けた締付け部材Ｐとからなる手摺の取付装置。
【請求項２】
左右一対の建枠Ａ、Ａと、各建枠Ａ、Ａ間に架設した足場板Ｂとからなり、建枠Ａが前後一対の縦材１と、縦材１、１間に架設されて上記足場板Ｂを支持する横架材２とを有し、左右一対の建枠Ａ，Ａ間に架設する据え置き用又は盛り替用の手摺Ｃを上記前記一対の縦材１、１の一方又は両方に取付ける手摺の取付装置において、縦方向に起立すると共に一つ又は複数の取付孔３ｂを備えたブラケット３と、ブラケット３に一体結合した支持片４と、支持片４の端部に起立する少なくとも一つのソケット５と、支持片に上記ブラケット３と反対側に設けた締付部材Ｐとからなり、上記ブラケット３を上記取付孔３ｂを介して縦材１に突設したブレス取付用のロックピン１２に着脱自在に結合し、上記締付部材Ｐで縦材１を抱持し、上記ソケットＳに手摺Ｃの縦支柱６の下部を着脱自在に挿入して手摺Ｃを取付けることを特徴とする手摺の取付装置。
【請求項３】
ブラケット３が細長い支持板本体３ａと、支持板本体３ａに縦方向に沿って形成した複数の取付孔３ｂとからなり、支持片４がコ字状に形成されて上下一対の水平板４ａ，４ｂと、各水平板４ａ，４ｂの中央に形成した湾曲部４ｃとからなり、更に上記一対の水平板４ａ，４ｂ間に上記湾曲部４ｃに対向するロックピン７が着脱自在に挿入され、又、下方の水平板４ａに上記湾曲部４ｃに対向して楔２８が移動自在に取付けられている請求項１又は２に記載の手摺の取付装置。
【請求項４】
支持片４の両端部に二つのソケット５，５を相対向して起立し、これらソケット５，５の一方又は両方が固定又は回転自在に結合されている請求項１，２又は３に記載の手摺の取付装置。
【請求項５】
回転自在なソケット５は支持片４の端部に固定したコ字状のブラケット５ａと、ブラケット５ａ内に軸５ｃを介して回転自在に挿入した筒体５ｂとで構成されている請求項４に記載の手摺の取付装置。
【請求項６】
ソケット５と縦支柱６の一方又は両方にピン、板バネ、又はレバーからなる弛み止め部材が設けられている請求項２、３、４又は５に記載の手摺の取付装置。
【請求項７】
手摺Ｃが左右一対の縦支柱６，６と、縦支柱６，６間に架設した一つ又は上下一対の横材７、８とからなり、支持片４の一端が上記一方の縦支柱６の下端に結合され、支持片４の他端に上記一方の縦支柱６に対向して一つのソケット５が固定又は回転自在に起立している請求項２、３、４、５又は６に記載の手摺の取付装置。
【請求項８】
横材７、８の両端部が縦支柱６、６に対してピン又はブラケット１０を介して回転自在に結合され、縦支柱６、６に巾木取付部材１０が設けられている請求項２、３、４、５、６又は７に記載の手摺の取付装置。
【請求項９】
手摺が左右一対の縦支柱と、縦支柱間に回転自在に架設された横材とからなり、上記横材に親綱用ガイドがスライド自在に挿入されている請求項１、２、３、４、５、６、７、又は８に記載した手摺の取付装置
【発明の詳細な説明】
【技術分野】
【０００１】
本発明は、手摺の取付装置に関し、特に、枠組足場に取り付けられたり、枠組足場を順次上方に組み付ける際に下方の足場板上で当該枠組足場に取り付けられる据え置き式又は盛り替え式の手摺の取付装置に関する。
【背景技術】
【０００２】
一般に、建築工事、土木工事現場では作業位置に対応して枠組足場を設置し、この枠組み足場を利用して作業者が歩行したり、作業を行なっているが、この枠組足場は、前後一対の縦材と縦材間に架設した横架材とからなる建枠を横方向に列設し、隣接する建枠の横架材間に足場板を架設すると共に足場板の前後又は片側に対向して左右の隣接する縦材間に手摺を架設している。
【０００３】
他方、建築、土木工事現場では作業面積に対して上記単一の枠組足場を上方に向けて複数段組付ける場合があり、この場合にはあらかじめ設置された下方の枠組足場の足場板上で上方の手摺を先行手摺としてあらかじめ先に取り付け、次いで同じくこの下方の足場板上で上方の足場板を組付けておく。
【０００４】
そして、これらの上段の先行手摺と上段の足場板を安全手段として利用して更に上方の枠組足場を順次組付けるようにしているが、この先行手摺は、そのまま据え置きにして残しておく場合と、この先行手摺を順次上方に盛り替えして使用する盛り替え式の手摺としても使用される場合がある。
【０００５】
上記の手摺は、その左右両端が隣接する建枠の縦材上部に設けた取付部材を介してそれぞれに縦材に着脱自在に結合されるのが普通である。
【０００６】
この手摺の取付装置としてはこれまで多数開発されており、例えば、特許文献１に示すものが知られている。
【０００７】
この特許文献１に示す手摺の取付装置は、建枠の縦材に対向して配置する平面コ字状の脚柱用楔着部材と、この楔着部材の下方に設けられて同じく上記縦材に対向して配置する当て板と、当て板の左右両側に固定して起立する左右一対のソケットたるパイプ製挿着部材と、上記楔着部材と各ソケットに結合されて上方に起立する平面ややＵ字状の掛け片とからなるものである。
【０００８】
この手摺の取付装置によれば、建枠の縦材に楔着部材と掛け片とを挿入し、下方の当て板を同じく縦材に当接させ、掛け片と当て板とで縦材の上下部と二点支持すると共に楔着部材に横方向から打ち込んだ楔で締付て全体の取付装置を縦材に固定するものである。この状態でソケットたるパイプ製挿着部材に手摺の縦支柱たる脚柱を挿入して当該手摺を建枠に取付けるようにしている。
【特許文献１】特開２００５-４８４３２号公報(図４，要約)
【発明の開示】
【発明が解決しようとする課題】
【０００９】
上記従来の手摺の取付装置では手摺を差し込むソケットが左右一対設けられているため、左右一対の建枠間に手摺を簡単に取付けできる効果を有しているが、建枠の周辺に他のいろいろな部材が存在する場合には利用できない不具合がある。
【００１０】
即ち、建枠足場を組付けた時建枠の縦材と横架材とがクロスする位置には縦材同士を連結する連結ピン、巾木や巾木の取付け部材、左右に対向する足場板間の隙間を塞ぐ塞ぎ板の端部等の部材が配置される場合があり、これらの部材が邪魔して楔着部材と、これに装着する楔と、掛け片が干渉してしまい手摺の取付装置を縦材に設置できない場合があるため汎用性に劣るものである。
【００１１】
更に、上記の手摺の取付装置を利用して取付けた手摺は足場板の両側に配置されているとは限らず、片側のみに設置される場合がある。この場合は、作業者が足場板上を歩行する時、手摺が設置されていない片側から転落する危険がある。
【００１２】
また、仮に手摺が足場板の両側に設置している場合であっても、手摺に単なるブレスが設けられているに過ぎない場合は、手摺に大きな隙間が出来、この隙間から誤って作業者が転落してしまう恐れもあり、その危険防止の対策が昨今の重要な課題となっている。
【００１３】
そこで、本発明の主たる目的は、建枠の周辺に他の部材が配置されていてもこれらの部材と干渉することなく簡単に建枠に取付けでき、構造も簡単で汎用性を有する手摺の取付装置を提供することである。
【００１４】
更に、本発明の他の目的は、作業者の転落防止等の危険を防止できる機構を備えた手摺と、この手摺の取付装置を提供することである。
【課題を解決するための手段】
【００１５】
上記の目的を達成するため、本発明による手摺の取付装置の基本的な手段は、縦方向に起立すると共に一つ又は複数の取付孔を備えたブラケットと、ブラケットに一体結合した支持片と、支持片の端部に起立する少なくとも一つのソケットと、支持片に上記ブラケットと反対側に設けた締付部材とからなることを特徴とするものである。
【００１６】
同じく、建枠における手摺の取付装置の手段は左右一対の建枠と、各建枠間に架設した足場板とからなり、建枠が前後一対の縦材と、縦材間に架設されて上記足場板を支持する横架材とを有し、左右一対の建枠間に架設する据え置き用又は盛替用の手摺を上記前記一対の縦材の一方又は両方に取付ける手摺の取付装置において、縦方向に起立すると共に一つ又は複数の取付孔を備えたブラケットと、ブラケットに一体結合した支持片と、支持片の端部に起立する少なくとも一つのソケットと、支持片に上記ブラケットと反対側に設けた締付部材とからなり、上記ブラケットを上記取付孔を介して縦材に突設したブレス取付用のロックピンに着脱自在に結合し、上記締付部材で縦材を抱持し、上記ソケットに手摺の縦支柱の下部を着脱自在に挿入して手摺を取付けることを特徴とするものである。
【００１７】
これらの場合、ブラケットが細長い支持板本体と、支持板本体に縦方向に沿って形成した複数の取付孔とからなり、支持片がコ字状に形成されて上下一対の水平板と、各水平板の中央に形成した湾曲部とからなり、更に上記一対の水平板間に上記湾曲部に対向するロックピンが着脱自在に挿入され、又下方の水平板に上記湾曲部に対向して楔が移動自在に取付けられていても良い。
【００１８】
同じく、支持片の両端部に二つのソケットを相対向して起立し、これらソケットの一方又は両方が固定又は回転自在に結合されているのが好ましい。
【００１９】
同じく、回転自在なソケットは支持片の端部に固定したコ字状のブラケットと、ブラケット内に軸を介して回転自在に挿入した筒体とで構成されていても良い。
【００２０】
同じく、ソケットにピン，板バネ，又はレバーからなる弛み止め部材が設けられているのが好ましい。
【００２１】
同じく、手摺自体については、左右一対の縦支柱と、縦支柱間に架設した一つ又は上下一対の横材とからなり、支持片の一端が上記一方の縦支柱の下端に結合され、支持片の他端に上記一方の縦支柱に対向して一つのブラケットが固定又は回転自在に起立していても良い。
【００２２】
同じく、横材の両端部が縦支柱に対してピン又はブラケットを介して回転自在に結合され、縦支柱に巾木取付部材が設けられているのが好ましい。
【００２３】
同じく、手摺が左右一対の縦支柱と、縦支柱間に回転自在に架設された横材とからなり、上記横材に親綱用ガイドがスライド自在に挿入されているのが好ましい。
【発明の効果】
【００２４】
各請求項の発明によれば、次の効果が得られる。
【００２５】
縦方向に起立するブラケットを備えているので、このブラケットを建枠の縦材に対して当該建枠の横架材より下方においてブレス取付け用のロックピンを介して他の余計な部材と干渉することなく簡単に結合できる。又締付部材はブラケットと反対側に位置しているから横架材や他の余計な部材が存在しない位置で建材を抱持しながら締付るので、他の部材と干渉することなく配置でき且つ締め付け操作できる。
【００２６】
支持片には少なくとも一つのソケトを起立しているので、このソケットに手摺の縦支柱を挿入するだけで手摺を簡単且つスピーディに建枠に取付けできる。
【発明を実施するための最良の形態】
【００２７】
以下、本発明の実施の形態を図に基づいて説明するが、本発明の手摺の取付装置は、枠組足場の足場板の前側、後側又は両方に手摺を設置する場合の使用に適し、特に枠組足場は上方に向けて多段に組付ける際に下段側の足場板上で上段側の手摺をあらかじめ据え置き式又は盛り替え式の手摺として取付けるのに適するものである。但し、この手摺の取付装置は多段に組付けない単一の枠組足場にも利用でき、一般的な建築，土木工事用の作業足場の手摺の取付けにも利用できる。
【００２８】
本発明の基本的な手摺の取付装置の基本構造は、図３（Ａ）（Ｂ）（Ｃ）に示すように、縦方向に起立すると共に一つ又は複数の取付孔３ｂを備えた板状ブラケット３と、ブラケット３に一体結合した支持片４と、支持片４の端部に起立するすくなくとも一つのソケット５と支持片４に上記ブラケット３と反対側に設けた締付け部材Ｐとからなるものである。
【００２９】
又、枠組足場に利用した本発明の手摺の取付装置は、図１，図３に示すように、左右一対の建枠Ａ、Ａと、各建枠Ａ、Ａ間に架設した足場板Ｂとからなり、建枠Ａが前後一対の縦材１、１と、前後の縦材１、1間に架設されて上記足場板Ｂを支持する横架材２とを有し、左右一対の建枠Ａ、Ａ間に架設する据え置き用又は盛り替え用の手摺Ｃを上記前記一対の縦材１、１の一方又は両方に取付けるものである。
【００３０】
そして、この手摺の取付装置は、縦方向に起立すると共に一つ又は複数の取付孔３ｂを備えた板状ブラケット３と、ブラケット３に一体結合した支持片４と、支持片４の端部に起立する少なくとも一つのソケット５と、支持片４に上記ブラケット３と反対側に設けた締付部材Ｐとからなり、上記ブラケット３を上記取付孔３ｂを介して縦材１に突設したブレス取付用のロックピンに着脱自在に結合し、上記締付部材Ｐで縦材１を抱持し、上記ソケットＳに手摺Ｃの縦支柱６の下部を着脱自在に挿入して手摺Ｃの片側を取付けるものである。
【００３１】
この場合、ブラケット３が細長い縦方向の支持板本体３ａと、支持板本体３ａに縦方向に沿って形成した複数の取付孔３ｂとからなり、支持片４はコ字状に形成された上下一対の水平板４ａ，４ｂと、各水平板４ａ，４ｂの中央に形成した湾曲部４ｃとからなり、更に上記一対の水平板４ａ、４ｂ間に上記湾曲部４ｃに対向するロックピン７が着脱自在に挿入され、又、下方の水平板４ａに上記湾曲部４ｃに対向してガイド９を介して楔２８が移動自在に取付けられており、上記ロックピン２７と楔２８とで締付部材Ｐを構成している。
【００３２】
支持片４の左右両端部に二つの筒状ソケット５，５を相対向して起立し、これらソケット５，５の両方が固定して起立しているが、ソケット５，５の一方又は両方が後述する他の実施の形態に示すように固定又は回転自在に結合されていても良い。
【００３３】
手摺Ｃは、図1、図２に示すように、左右一対の縦支柱６、６と、縦支柱６、６間に回転自在に架設された一つ又は上下一対の角パイプからなる横材７、８とからなり、縦支柱６、６を隣接する各建枠Ａ、Ａのソケット５、５に差し込むことにより、左右一対の建枠Ａ、Ａ間に手摺Ｃが架設される。
【００３４】
手摺Ｃは、図２（Ａ）（Ｂ）に示すように、上方の横材７の両端はヒンジからなる回転自在なブラケット１０を介して結合され、下方の横材８の両端は縦支柱６に設けたピン８Ｂに回転自在に軸支されている。
【００３５】
この場合、横材８の両端部に長孔８Ａをピン８Ｂに嵌合させ、図２（Ｂ）に示すように長孔８Ａの長さ分両側の縦支柱６，６を左右に移動して縦支柱６，６間の巾を調整できるようにしている。
【００３６】
即ち、設置された左右一対の建枠Ａ、Ａ間の巾や、架設された足場板Ｂの長さに応じて左右のソケット５、５間の間隔が決まるので、この間隔に対応して手摺Ｃの縦支柱６、６間の巾を調整するものである。
【００３７】
左右一対の建枠Ａ、Ａにおける縦材１には図１、図３（Ｃ）に示すように、横架材２と同一方向に延びるグラビティロックピンその他のロックピン１２が突出されており、このロックピン１２にＸ字状にクロスするブレスＤ，Ｄの端部が嵌合し、このブレスＤ、Ｄで左右の建枠Ａ、Ａを結合し且つ補強させて枠組足場の倒れを防止させている。
【００３８】
本発明は、このロックピン１２が横架材２の下方に位置しており、周辺に邪魔な部材が存在しないことに注目し、このロックピン１２を利用して手摺Ｃを取付けようとするものである。
【００３９】
手摺の取付装置を建枠Ａ、Ａに結合する場合は次の工程によるが、先ず、下方の足場板Ｂでブラケットを図３（Ｃ）に示すようにブレスＤの取付け用ロックピン１２に差し込んで仮止めする。
【００４０】
次に、支持片４における下方水平板４ａの湾曲部４ｃを縦材１に当接し、又この湾曲部４ｃに対向するロックピン２７を上下の水平板４ａ，４ｂの孔に差し込んで縦材１抱持しながらこのロックピン７と湾曲部４ｃとで建枠１を挟持する。
【００４１】
次いで、ガイド９に沿って楔２８を横方向から打ち込んで同じくこの楔２８で湾曲部４ｃとで縦材１を挟持して、いわゆる全体の締結部Ｐで縦材１を締結し、全体の手摺の取付装置を固定し、そして、この手摺の取付装置を利用して手摺Ｃを建枠Ａに取付けるものである。
【００４２】
そこで、図１にもとづいて手摺Ｃの取付工程を説明すると、左右一対の建枠Ａ、Ａ間に足場板Ｂが架設され、各建枠Ａ、ＡがブレスＤ、Ｄで補強され、更に足場板Ｂの前側又は後側に手摺Ｃ（図示せず）を設けている状態で、この建枠Ａ、Ａの上方に上段側の手摺Ｃを取付けるには、先ず足場板Ｂ上で作業者が左側の建枠Ａにおけるソケット５に手摺Ｃの左側縦支柱６の下部を差し込んで垂直に起立する。
【００４３】
この時、横材７，８が点線で示すように下方に傾斜しているので右側の縦支柱６を手で持ち上げ、横材７、８の左側端部を支点にして上方に回動させながらこの横材７、８を引き上げ、最後に右側の縦柱６を右側の建枠Ａのソケット５に差し込み、実線で示すように手摺Ｃを架設させる。
【００４４】
次に、この状態で足場板Ｂで他の上段側の足場板Ｂ（図示せず）を上段の横架材２、２間に架設し、更に、上方に建枠Ａ、Ａを組付ける場合には、上記のように設置された上段の足場板Ｂ上で手摺Ｃにより安全を図りながら順次建枠Ａの縦材１の継ぎ足し、更に上方の手摺Ｃの取り付け作業を行う。
【００４５】
この場合、手摺Ｃは、設置された位置に固定したまま残す据え置き式として利用でき、又上段の建材Ａの組付け時に利用するため順次上方に盛り替える先行手摺としても使用できる。
【００４６】
ところで、手摺Ｃの上方横材７には親綱用ガイド１４がスライド自在に挿入されているが、このガイド１４は、図１，図４（Ｃ）に示すように下方が開放された開口部１２ｂを有する筒体１４ａと筒体１４ａに垂設したリングブラケット１３とからなり、建枠Ａと足場板Ｂと手摺Ｃとが横方向に多数列設している場合、足場板Ｂ上を歩行する作業者に親網を巻き付け、この親網をリングブラケット１３に結合しておくことにより作業者が枠組足場から落下しそうになった時にこの親網で落下するのを防止する。
【００４７】
そして、作業者が足場板Ｂを左右に歩行する時ガイド１４が横材７に沿ってスライドし、特に、図４（Ｃ）に示すように、隣接する左右の手摺Ｃ、Ｃ間をガイド１４が通過する場合、縦支柱６を干渉しないように開口部１４ｂがこの縦支柱６を通過するようにしている。
【００４８】
ソケット５には図３（Ｃ）に示すように横方向に向けて係止孔１５が形成され、この係止孔１５に縦支柱６にも設けられたピン等からなる弛み止め部材が挿入できるようになっている。
【００４９】
ソケット５，５は、上記のように一対独立して起立しているが、ソケット５は一つでも良い。
【００５０】
即ち、図５、図６の他の実施の形態に示すように、支持片４の左側にはソケット５を起立し、この支持片４の右側端部を直接手摺Ｃの左側縦支柱６の下端に一体結合しても良い。
【００５１】
この場合は、手摺の取付装置が手摺Ｃと一体化され、ブラケット３を、例えば、枠組足場の建枠Ａに結合した時同時に手摺Ｃの一方である左側縦支柱６も結合されることになる。
【００５２】
この場合、図において右側の縦支柱６は、図１の場合と同じく上方に押し上げられ、右側に配置されているソケット５に差し込まれる。
【００５３】
手摺Ｃの縦支柱６には後述する巾木取付部材１１が図６に示すように設けられていても良く、手摺Ｃやこれの取付装置の他の構造は全て図１、図３の場合と同じである。
【００５４】
図７は、本発明の手摺における他の実施の形態を示すが、これは、手摺Ｃの縦支柱６の下部に巾木の取付部材１１が結合され、又この縦支柱６の下端部に弛み止め機構１６が形成されているものである。
【００５５】
弛み止め機構１６は、前述したソケット５に形成した係止孔１５と、縦支柱６の下方内部に設けたバネ１７と、縦支柱６に設けた孔１４を貫通し且つバネ１７に結合して上記係止孔１５に着脱自在に挿入される係止ピン１９と、支持片４における下側水平板４ａに形成した縦材６より小径の孔１８と、縦材６の下端を円錐状に絞った小径部６ａとで構成している。
【００５６】
これにより、手摺Ｃの縦支柱６をソケット５内に挿入した時バネ１７の附勢力で係止ピン１９が係止孔１４に嵌合し、又下端の孔１８に小径部６ａが嵌合することで縦支柱６がソケット５内で弛むのが防止される。
【００５７】
巾木の取付部材１１については図２６、図２７にもとづいて後述する。
【００５８】
図８（ａ）（ｂ）（ｃ）は、本発明の他の実施の形態に係る手摺の取付装置を示す。
【００５９】
これは、図において左側のソケット５を回転自在式にし、右側のソケット５を固定式にしたものである。
【００６０】
左側のソケット５は、支持片４に固定したコ字状のブラケット５ａと、ブラケット５ａ内に軸５ｃを介して回転自在に挿入した筒体５ｂとからなり、この筒体５ｂ内に手摺Ｃの一方の縦支柱６を挿入するものである。
【００６１】
この場合、例えば、図９に示すように、右側の手摺Ｃにおける縦支柱６を傾斜しながら上方からソケット５に差し込む場合、あらかじめ縦支柱６に対向して同じ角度で傾斜させておけばこのソケット５における筒体５ｂ内に縦支柱６をスムースに挿入できる。挿入後は筒体５ｂを垂直方向に向けて回転する。その他の構造，作用，効果は図１，図３の場合と同じである。
【００６２】
図１０は、本発明の他の実施の形態に係る手摺の取付装置を示すが、これは、左右一対のソケット５，５がそれぞれ回転自在に支持片４に結合され、手摺Ｃの縦支柱６を傾斜させながらどちらの方向からも差し込めるようにしたものである。
【００６３】
各ソケット５は、コ字状のブラケット５ａと、このブラケット５ａの前後両側からねじ込んだ前後一対のピン又はボルト５ｃと、ブラケット５ａ内に挿入されて前後方向からボルト５ｃに回転自在に軸支された筒体５ｂとからなるものである。
【００６４】
そして、手摺Ｃ側の縦支柱６の下端は円錐状の小径部６ａとして形成され、図７の実施の形態と同じように下側支持板４ａに形成した孔１８に上記の小径部６ａを嵌合させて垂直に起立できるようにしている。
【００６５】
その他の構造、作用，効果は、図３の実施の形態と同じである。
【００６６】
図１１は、本発明の他の実施形態に係り、これは、一対のソケット５，５のうち、一方のソケット５を回転自在に支持片４に結合したものである。
【００６７】
この回転式のソケット５は、一側たる図において左側を開放した筒状ブラケット５ｄと、このブラケット５ｄ内に嵌合して支持片４に結合され且つ左側を開放した筒体５ｅの下方に軸５ｇを介して回転自在に挿入した筒状５ｎと、ブラケット５ｄの張出部に上下方向に向けて回転自在に軸支されると共に上下方向に回転した時ブラケット５ｄと筒体５ｅの開放部を開閉する平面Ｌ字状のストップピン５５とで構成されている。
【００６８】
これにより、ストップピン５５を図１１（Ｃ）のように上方に回転しておき、次いで図７で示すものと同じ弛み止め機構１６を備えた手摺Ｃの縦支柱６を筒体５ｎを傾斜させた状態でこの筒体５ｎに挿入し、更にこの筒体５ｎと縦支柱６を垂直に起立した状態で図１１（Ｃ）の矢印と反対方向にストップピン５５を回転してブラケット５ｄと筒体５ｅの開放部を閉じて縦支柱６が倒れないようにしている。その他の構造、作用、効果は図３の実施の形態と同じである。
【００６９】
更に、図１２は、本発明の他の実施の形態に係り、これら一対のソケット５、５を起立して固定し、左方のソケット５の上端を斜めに面取りして傾斜面５ｉとしておき、又このソケットに平面Ｕ字のガイドビン５ｈを水平に取り付けておき、このガイドピン５ｈにそって傾斜面５ｉより縦支柱６を斜め方向から差し込むものである。その他の構造，作用，効果は図３の実施の形態と同じである。
【００７０】
図１３は、本発明の他の実施の形態に係り、これは図１１の実施の形態に係るソケット５を一部変更したものである。即ち、左側のソケット５におけるブラケット５ｄの下部にフック状の溝５ｋを形成しておき、斜め方向から挿入した縦支柱６の下部に設けたピン６ｄをこの溝５ｋに沿って嵌合させ、ロックピン５ｆとピン６ｄとで縦支柱６を垂直に保持させるものである。その他の構造，作用，効果は図３、図１１の場合と同じである。
【００７１】
次に、図１４乃至図２５は、手摺Ｃの各実施の形態に係り、これらの手摺Ｃの基本構造は図２の手摺Ｃと実質的に同じであり、左右一対の縦支柱６，６と、縦支柱６，６間に架設した一本又は上下二本の横材７、８とからなるものである。従って、同一の部材は同一の符号を付すことで詳細は省略する。
【００７２】
図１４（Ａ）（Ｂ）の手摺Ｃは、縦支柱６、６に巾木取付部材１１を設けたことで共通であり、図１４（Ａ）の横材７、８が一本のパイプ材から構成され、図１４（Ｂ）の横材７、８は、アウターチューブ７ａ、８ａとこれに伸縮自在に挿入されたインナーチューブ７ｂ、８ｂとで構成されている。
【００７３】
図１５、図１６に示す手摺Ｃは、一方の縦支柱６の下端にヒンジ機構２３を設け、このヒンジ機構２３を介して縦支柱６をソケット５に結合するものである。
【００７４】
ヒンジ機構２３は、縦支柱６内に嵌合してピン２０で結合されたスペーサ２４と、このスペーサ２４に回転自在にピン２１を介して結合した断面Ｔ字状のブラケット２２とからなり、ブラケット２２をソケット５に結合して縦支柱６を図１６に示すように傾斜できるようにしている。
【００７５】
図１７、図１８（Ａ）(Ｂ)(Ｃ)は、本発明の他の実施形態に係る手摺Ｃを示し、これらの場合は下方の横材８が正面から見て上向きのコ字状に形成されていることを共通としている。
【００７６】
そして、図１７の場合は、上方の横材７に縦支柱６がブラケット１０を介して回自在に結合され、図１８（A）の場合は下方の横材８の左右側部にヒンジ式のブラケット１０Ａを介して縦支柱６が結合されている。
【００７７】
図１８（Ｂ）（Ｃ）の手摺Cは上方の横材７と、下方の横材８と、下方の横材８にピン等の支持軸１０Ｂを介して重ねながら回転自在に結合した縦支柱６からなるものである。
【００７８】
図１９に示す実施の形態の手摺Ｃは、下方の横材８が伸縮自在に形成され、一方の縦支柱６の下部が本体と本体に対してピン３０を介して回転自在に結合した下方サブロッド６Ａとで構成させ、更に、上方の本体を垂直に保持するロックピン３１を回転自在にブラケット３２を介して結合させているものである。
【００７９】
図２０の実施の形態に係る手摺Ｃは、一方の縦支柱６の下端に横方向に向けて軸３３を結合させ、この軸３３を介してソケット５に対して縦支柱６を回転自在に挿入させるようにしている。
【００８０】
図２１及び図２２に示す手摺Ｃは、上方の横材７が左側においてヒンジ式のブラケット１０を介して左側の縦支柱６に結合し、右側において一体的に他の右側縦支柱６に結合され、更に下方の横材に相当する金網８Ａを上方の横材７と左右の縦支柱６，６に結合したものである。
【００８１】
この手摺Ｃは、図２１の取付け工程で示すように、左方の縦支柱６をソケット５に挿入した状態でブラケット１０を介して手摺Ｃを傾斜させながら右方の縦支柱６を回転自在な他方のソケット５に挿入させるものである。
【００８２】
図２３に示す手摺Ｃは、上方の横材７に対して下方の横材８と巾木３５とを平行に連結材２４とブラケット３６とを介して結合し、巾木３５を足場板Ｂの前側又は後側に対向して配置させるものである。
【００８３】
図２４に示す手摺Ｃは、正面Ｌ字状の横材８を上方の横材７と右側の縦支柱６との間に結合したものである。
【００８４】
図２５に示す手摺Ｃは、下方の横材８をアウターチューブ８ａとインナーチューブ８ｂとで伸縮自在に構成したものである。
【００８５】
図２６、図２７（Ａ）（Ｂ）（Ｃ）は、図７の説明で述べたような巾木の取付部材１１とこれに巾木４１を結合した実施の形態を示す。
【００８６】
巾木の取付部材１１は、手摺Ｃの縦支柱６の側面に腕３６を介して結合した断面Ｌ字状の支持板３７と、支持板３７の水平部に形成したガイド孔３８と、支持板３７の巾広の垂直部に隙間４４をあけながら取付けたキノコ型の止めピン４０と、上記ガイド孔３８内に揺動自在に挿入され、支持板３７にストップピン４５を介して抜けが施されたロックピン３９とで構成されている。
【００８７】
巾木４１は、図２７に示すように本体と本体の端部にピン４３を介して結合され、上下に長孔４６，４７を備えた中空な角パイプ状のブラケット４２とで構成されている。
【００８８】
巾木４１は、足場板Ｂにそって長手方向に配置され、端部のブラケット４２の肉部を止めピン４０と支持板３７との間の隙間４４に孔４７を介して嵌合させ、次いでロックピン３９を引き上げながら転動してその外端フック部を孔４６より挿入してブラケット４２の内周に引掛ける。
【００８９】
これにより、止めピン４０とロックピン３９とでブラケット４２が保持され、巾木４１全体が足場板Ｂの長手方向に沿って配置される。
【００９０】
図２８乃至図３１は、親網用ガイド１４の各実施の形態を示すが、図２８の親網用ガイド１４は、図１、図４ですでに説明したものと実質的に同じであり、これは下方が開口部４８を介して長手方向に開放された筒体１４ａと、筒体１４ａの側部に垂設したリングブラケット１３と、開口部４８の両側に連なる底面から見てラッパ型のガイド４９と、筒体１４ａの内部に山型状に屈曲させた調芯部５０とで構成されている。
【００９１】
筒体１４ａは、手摺Ｃにおける上方の横材７にスライド自在に挿入され、下向のガイドリンク１３に親網が結合されるようになっている。
【００９２】
図２９は、図２８の親網用ガイド１４と実質的に同じ他の実施の形態をしめすものであり、ストッパ５２を追加した点のみが異なるだけである。
【００９３】
図３０、図３１は、親網用ガイド１４の他の実施の形態を示し、これはすでに図４の説明でも述べたものと実質的に同じであるが、手摺Ｃの横材７を円筒パイプで成形した場合に適用するのに適している。
【００９４】
即ち、図３０に示すように隣接する二つの手摺Ｃ、Ｃ間の円筒パイプからな横材７、７を通過する時、筒体１４aが回転しないように横材７に回り止め片５１を垂設させ、これを筒体１４aの開口部４８を貫通させたものである。
【００９５】
この場合には、親綱用ガイド１４が移動中に回転しようとしても回り止め片５１が開口部１４ａの側面に当接してこの回転が規制される。
【００９６】
しかも、親綱用ガイド１４は、すでに述べた場合と同じように横材７に沿って移動する時、下方が開放された開口部４８が形成されていることにより、この開口部４８がブラケット１０や回り止め片５１と干渉することなく通過でき、親網が途中で引掛かるのが防止されるものである。
【００９７】
更に、図３２（Ａ）(Ｂ)(Ｃ)は上記した親綱用のガイド１４をスライド自在に挿入した手摺Ｃの他の実施形態を示し、これは上記の各実施の形態と同じく横材７、８と、縦支柱６とからなり、角柱状の横材７と縦支柱６の接続コーナに水平方向の溝Ｍを形成したものである。この場合は、隣接する左右の横材７、７間を親綱用のガイド１４が縦支柱６と干渉することなくこの溝Ｍを介して通過できる。
【図面の簡単な説明】
【００９８】
【図１】本発明に係る手摺の取付装置を利用した枠組足場の正面図である。
【図２】（Ａ）（Ｂ）図１の手摺の実施の正面図と一部拡大正面図である。
【図３】（Ａ）（Ｂ）（Ｃ）本発明に係る手摺の取付装置の平面図、正面図、側面図である。
【図４】（Ａ）（Ｂ）（Ｃ）横材の端部における拡大平面図、正面図、側面図である。
【図５】他の手摺の取付装置を利用した手摺の正面図である。
【図６】更に他の手摺の取付装置を利用した手摺の正面図である。
【図７】弛み止め機構を拡大して示す縦支柱の一部縦断面図である。
【図８】（Ａ）（Ｂ）（Ｃ）他の実施の形態に係る手摺の取付装置の平面図、正面図、側面図である。
【図９】図８の手摺の取付装置を利用した枠組足場の正面図である。
【図１０】（Ａ）（Ｂ）（Ｃ）他の実施の形態に係る手摺の取付装置の平面図、正面図、側面図である。
【図１１】（Ａ）（Ｂ）（Ｃ）他の実施の形態に係る手摺の取付装置の平面図、正面図、側面図である。
【図１２】（Ａ）（Ｂ）他の実施の形態に係る手摺の取付装置の平面図、正面図、側面図である。
【図１３】（Ａ）（Ｂ）他の実施の形態に係る手摺の取付装置の平面図、正面図である。
【図１４】（Ａ）（Ｂ）他の実施の形態に係る手摺の正面図である。
【図１５】（Ａ）（Ｂ）（Ｃ）他の実施の形態に係る手摺の正面図である。
【図１６】図１５の手摺を取付けた枠組足場の正面図である。
【図１７】他の実施の形態に係る手摺の正面図である。
【図１８】他の実施の形態に係る手摺の正面図である。
【図１９】（Ａ）（Ｂ）（Ｃ）他の手摺の正面図、一部拡大正面図、一部拡大側面図である。
【図２０】（Ａ）（Ｂ）（Ｃ）他の手摺の正面図、一部拡大正面図、一部拡大側面図である。
【図２１】他の実施の形態に係る手摺の正面図である。
【図２２】図２１の手摺を利用した枠組足場の正面図である。
【図２３】他の実施の形態に係る手摺の正面図である。
【図２４】他の実施の形態に係る手摺の正面図である。
【図２５】他の実施の形態に係る手摺の正面図である。
【図２６】（Ａ）（Ｂ）（Ｃ）巾木の取付部材の平面図、一部縦断正面図、側面図である。
【図２７】（Ａ）（Ｂ）（Ｃ）巾木を取付けた状態の一部拡大平面図、正面図、側面図である。
【図２８】（Ａ）（Ｂ）（Ｃ）一実施の形態に係る親網用ガイドの平面図、底面図、側面図である。
【図２９】（Ａ）（Ｂ）（Ｃ）他の実施の形態に係る親網用ガイドの平面図、底面図、側面図である。
【図３０】親網用ガイドを取付けた手摺の正面図である。
【図３１】（Ａ）（Ｂ）図３０の一部拡大平面図、側面図である
【図３２】（Ａ）（Ｂ）（Ｃ）は他の実施の形態に係る手摺の正面図、部分側面図、部分拡大正面図である。
【符号の説明】
【００９９】
Ａ  建枠
Ｂ  足場板
Ｃ  手摺
Ｐ  締付部材
１  縦材
２  横架材
３  ブラケット
３ａ  取付孔
４  支持片
５  ソケット
１２  ロックピン
【図１】
2007100495.tif 000003
【図２】
2007100495.tif 000004
【図３】
2007100495.tif 000005
【図４】
2007100495.tif 000006
【図５】
2007100495.tif 000007
【図６】
2007100495.tif 000008
【図７】
2007100495.tif 000009
【図８】
2007100495.tif 000010
【図９】
2007100495.tif 000011
【図１０】
2007100495.tif 000012
【図１１】
2007100495.tif 000013
【図１２】
2007100495.tif 000014
【図１３】
2007100495.tif 000015
【図１４】
2007100495.tif 000016
【図１５】
2007100495.tif 000017
【図１６】
2007100495.tif 000018
【図１７】
2007100495.tif 000019
【図１８】
2007100495.tif 000020
【図１９】
2007100495.tif 000021
【図２０】
2007100495.tif 000022
【図２１】
2007100495.tif 000023
【図２２】
2007100495.tif 000024
【図２３】
2007100495.tif 000025
【図２４】
2007100495.tif 000026
【図２５】
2007100495.tif 000027
【図２６】
2007100495.tif 000028
【図２７】
2007100495.tif 000029
【図２８】
2007100495.tif 000030
【図２９】
2007100495.tif 000031
【図３０】
2007100495.tif 000032
【図３１】
2007100495.tif 000033
【図３２】
2007100495.tif 000034